(57)【要約】【課題】  装置構成が簡略化され、コスト低減が可能な接地断路器を提供する。【解決手段】  本発明による接地断路器１００は、可動導体２０の駆動部１１を手動操作する操作部９と、操作部９を露出および閉塞するシャッター１を備え、可動導体２０は、シャッター１が第一の方向に開放されると投入状態から断路状態へ移行され、第二の方向に開放されると断路状態から接地状態へ移行され、駆動部１１とシャッター１にそれぞれ設けられる第一および第二の係合部４，２が、シャッター１が第一の方向に開放されると、断路状態と接地状態の間で可動導体２０と連動可能、かつ接地状態へ移行するような可動導体との連動が拘束されるように係合し、第二の方向に開放されると、投入状態と断路状態の間で可動導体２０と連動可能、かつ投入状態へ移行するような可動導体２０との連動が拘束されるように係合する。【選択図】図１
2016157592.tif 000002
【特許請求の範囲】
【請求項１】
可動導体と、
前記可動導体を、投入状態、断路状態および接地状態に移行するように駆動する駆動部と、
前記駆動部を手動により操作する操作部と、
前記操作部を露出および閉塞するように開閉するシャッターと、
を備える接地断路器において、
前記シャッターは、第一の方向および第二の方向に開閉し、
前記シャッターが前記第一の方向に開放されると、前記操作部が露出し、露出する前記操作部を手動操作することにより、前記可動導体が前記投入状態から前記断路状態へ移行され、
前記シャッターが前記第二の方向に開放されると、前記操作部が露出し、露出する前記操作部を手動操作することにより、前記可動導体が前記断路状態から前記接地状態へ移行され、
前記駆動部は前記可動導体と連動する第一の係合部を備え、
前記シャッターは前記第一の係合部と係合する第二の係合部を備え、
前記シャッターが前記第一の方向に開放されると、前記第一の係合部は、前記断路状態と前記接地状態の間で前記可動導体と連動可能に、かつ前記接地状態へ移行するような前記可動導体との連動が拘束されるように、前記第二の係合部と係合し、
前記シャッターが前記第二の方向に開放されると、前記第一の係合部は、前記投入状態と前記断路状態の間で前記可動導体と連動可能に、かつ前記投入状態へ移行するような前記可動導体との連動が拘束されるように、前記第二の係合部と係合することを特徴とする接地断路器。
【請求項２】
請求項１に記載の接地断路器において、
前記投入状態においては、
前記シャッターが前記操作部を閉塞し、
前記シャッターが前記第一の方向に開閉可能になるように、かつ前記シャッターの前記第二の方向における開閉が拘束されるように、前記第一の係合部と前記第二の係合部が係合することを特徴とする接地断路器。
【請求項３】
請求項１に記載の接地断路器において、
前記断路状態においては、
前記シャッターが前記第一の方向および前記第二の方向に開閉可能になるように、前記第一の係合部と前記第二の係合部が係合することを特徴とする接地断路器。
【請求項４】
請求項１に記載の接地断路器において、
前記接地状態においては、
前記シャッターの前記第一の方向および前記第二の方向における開閉が拘束されるように、前記第一の係合部と前記第二の係合部が係合することを特徴とする接地断路器。
【請求項５】
請求項１に記載の接地断路器において、
前記駆動部は、前記可動導体を駆動する操作軸を備え、前記可動導体は前記操作軸の長手方向に沿って駆動され、前記第一の係合部は前記操作軸の長手方向に沿って前記可動導体に連動することを特徴とする接地断路器。
【請求項６】
請求項５に記載の接地断路器において、
前記第一の係合部は操作ピンからなり、前記第二の係合部は前記シャッターに設けられる開口部であることを特徴とする接地断路器。
【請求項７】
請求項５に記載の接地断路器において、前記第一の係合部は前記操作軸によって駆動されることを特徴とする接地断路器。
【請求項８】
請求項７に記載の接地断路器において、前記操作軸が送りネジから構成され、前記可動導体および前記第一の係合部は、前記送りねじによって駆動されることを特徴とする接地断路器。
【請求項９】
請求項１に記載の接地断路器において、
前記第一の方向は水平方向であり、前記第二の方向は垂直方向であり、
前記第一の係合部は前記垂直方向に可動であり、
前記シャッターが前記第一の方向に開放されると、前記第一の係合部は、前記水平方向における第一の位置で前記第二の係合部と係合し、
前記シャッターが前記第二の方向に開放されると、前記第一の係合部は、前記水平方向における第二の位置で前記第二の係合部と係合することを特徴とする接地断路器。
【請求項１０】
請求項１に記載の接地断路器において、前記投入状態、前記断路状態および前記接地状態における前記シャッターの位置を保持する位置保持機構を備えることを特徴とする接地断路器。
【請求項１１】
請求項１０に記載の接地断路器において、前記位置保持機構は、前記投入状態、前記断路状態および前記接地状態における前記シャッターの位置に応じて設けられる複数の固定ピンと、前記シャッターに設けられ、前記複数の固定ピンと係合するフック部を備えることを特徴とする接地断路器。
【請求項１２】
請求項９に記載の接地断路器において、前記第一の方向および前記第二の方向に開放される前記シャッターに、前記シャッターを閉じる方向のばね力を加えるばねが、前記シャッターに接続されることを特徴とする接地断路器。
【請求項１３】
請求項１に記載の接地断路器において、前記第一の係合部の位置に応じて、前記投入状態、前記断路状態および前記接地状態のいずれであるかを表示する表示器を備えることを特徴とする接地断路器。
【請求項１４】
請求項１に記載の接地断路器において、前記第一の方向および前記第二の方向に開放される前記シャッターによって動作され、電動操作機構を電気的にロックするスイッチ部を備えることを特徴とする接地断路器。
【請求項１５】
請求項１４に記載の接地断路器において、前記スイッチ部はマイクロスイッチからなり、前記シャッターには、前記第一の方向および前記第二の方向に開放される時に、前記マイクロスイッチに押し当てられる複数のピンが設けられることを特徴とする接地断路器。
【請求項１６】
負荷電流を遮断する遮断器と、
前記遮断器に接続される接地断路器と、
を備える開閉装置において、
前記接地断路器は、
可動導体と、
前記可動導体を、投入状態、断路状態および接地状態に移行するように駆動する駆動部と、
前記駆動部を手動により操作する操作部と、
前記操作部を露出および閉塞するように開閉するシャッターと、
を備え、
前記シャッターは、第一の方向および第二の方向に開閉し、
前記シャッターが前記第一の方向に開放されると、前記操作部が露出し、露出する前記操作部を手動操作することにより、前記可動導体が前記投入状態から前記断路状態へ移行され、
前記シャッターが前記第二の方向に開放されると、前記操作部が露出し、露出する前記操作部を手動操作することにより、前記可動導体が前記断路状態から前記接地状態へ移行され、
前記駆動部は前記可動導体と連動する第一の係合部を備え、
前記シャッターは前記第一の係合部と係合する第二の係合部を備え、
前記シャッターが前記第一の方向に開放されると、前記第一の係合部は、前記断路状態と前記接地状態の間で前記可動導体と連動可能に、かつ前記接地状態へ移行するような前記可動導体との連動が拘束されるように、前記第二の係合部と係合し、
前記シャッターが前記第二の方向に開放されると、前記第一の係合部は、前記投入状態と前記断路状態の間で前記可動導体と連動可能に、かつ前記投入状態へ移行するような前記可動導体との連動が拘束されるように、前記第二の係合部と係合することを特徴とする閉閉装置。
【請求項１７】
請求項１６に記載の開閉装置において、
前記遮断器は、前記遮断器を遮断および投入する操作部に連動する駆動体を備え、
前記遮断器が投入されている時に、前記駆動体は前記第一の係合部の動線上に位置し、
前記遮断器が遮断されている時に、前記駆動体は前記第一の係合部の動線上から離れていることを特徴とする開閉装置。
【請求項１８】
請求項１７に記載の開閉装置において、
前記遮断器が投入から遮断へ移行する時、前記駆動体が前記第一の係合部と干渉することにより、前記接地断路器の前記可動導体の前記投入状態が保持されることを特徴とする開閉装置。
【請求項１９】
請求項１７に記載の開閉装置において、
前記遮断器が遮断され、かつ前記接地断路器の前記可動導体が前記断路状態である時、前記接地断路器の前記第一の係合部が前記駆動体の動きを制限することにより、前記遮断器の遮断が保持されることを特徴とする開閉装置。
【請求項２０】
請求項１７に記載の開閉装置において、
前記遮断器が投入され、かつ前記接地断路器の前記可動導体が前記接地状態である時、前記駆動体が前記第一の係合部と干渉することにより、前記接地断路器の前記可動導体の前記接地状態が保持されることを特徴とする開閉装置。
【発明の詳細な説明】
【技術分野】
【０００１】
本発明は、接地開閉器と断路器の機能を持った接地断路器並びに、接地断路器と遮断器が併用される開閉装置に関する。
【背景技術】
【０００２】
接地断路器は、接地開閉器部および断路器部を自動あるいは手動で操作するための操作部を備えている。操作部には、安全のために、インターロックや手動操作を制限するシャッターが設けられる。
【０００３】
このような接地断路器に関する技術として、特許文献１に記載される従来技術が知られている。本従来技術においては、本体に保持され、インターロックを動作させるカムスイッチが設けられる回転軸、および、断路器操作部と接地開閉器操作部の両方を覆うような形状を有するシャッター板と、シャッター板に形成され回転軸に固定された取付部とを有するシャッターを設ける。そして、断路器操作部を露出させるときは、回転軸を一方向に回転操作してシャッター板を一方向に回転させ、接地開閉器操作部を露出させるときは、回転軸を他方向に回転操作してシャッターを他方向に回転させる。
【先行技術文献】
【特許文献】
【０００４】
【特許文献１】特開２００６−２２８６７３号公報
【発明の概要】
【発明が解決しようとする課題】
【０００５】
上記従来技術においては、断路器と接地開閉器のそれぞれに操作部を設け、シャッターの開閉方向に応じて、操作を要する操作部が露出される。また、接地状態と断路器入状態の機械的インターロックが、シャッター板の回転に連動する二つのコイルおよび二つのプランジャーにより構成される。このように、上記従来技術による接地断路器においては、装置構成が複雑となり、このため接地断路器のコスト高を招く。
【０００６】
そこで、本発明は、装置構成が簡略化され、コスト低減が可能な、接地断路器並びにそれを用いる開閉装置を提供する。
【課題を解決するための手段】
【０００７】
上記課題を解決するために、本発明による接地断路器は、可動導体と、可動導体を、投入状態、断路状態および接地状態に移行するように駆動する駆動部と、駆動部を手動により操作する操作部と、操作部を露出および閉塞するように開閉するシャッターと、を備えるものであって、シャッターは、第一の方向および第二の方向に開閉し、シャッターが第一の方向に開放されると、操作部が露出し、露出する操作部を手動操作することにより、可動導体が投入状態から断路状態へ移行され、シャッターが第二の方向に開放されると、操作部が露出し、露出する操作部を手動操作することにより、可動導体が断路状態から接地状態へ移行され、駆動部は可動導体と連動する第一の係合部を備え、シャッターは第一の係合部と係合する第二の係合部を備え、シャッターが第一の方向に開放されると、第一の係合部は、断路状態と接地状態の間で可動導体と連動可能に、かつ接地状態へ移行するような可動導体との連動が拘束されるように、第二の係合部と係合し、シャッターが第二の方向に開放されると、第一の係合部は、投入状態と断路状態の間で可動導体と連動可能に、かつ投入状態へ移行するような可動導体との連動が拘束されるように、第二の係合部と係合する。
【０００８】
また、上記課題を解決するために、本発明による開閉装置は、負荷電流を遮断する遮断器と、遮断器に接続される接地断路器と、を備えるものであって、接地断路器が上記本発明による接地断路器である。
【発明の効果】
【０００９】
本発明によれば、一つの操作器によって、シャッターの開閉方向に応じて断路および接地の操作を選択的に行うことができると共に、可動導体を駆動する駆動部が備える第一の係合部とシャッターが備える第二の係合部によって機械的インターロック機能がもたらされる。これにより、接地断路器並びにそれを用いる開閉装置の装置構成が簡略化され、コスト低減が可能になる。
【００１０】
上記した以外の課題、構成および効果は、以下の実施形態の説明により明らかにされる。
【図面の簡単な説明】
【００１１】
【図１】実施例１である接地断路器（投入状態）の構成を示す。
【図２】実施例１である接地断路器（断路状態）の構成を示す。
【図３】実施例１である接地断路器（接地状態）の構成を示す。
【図４】シャッターの位置保持機構の一例を示す。
【図５】接地断路器の状態表示機構の一例を示す。
【図６】接地断路器の電気操作ロック機構の一例を示す。
【図７】実施例２である開閉装置（接地断路器が投入状態、遮断器が投入状態）の構成を示す。
【図８】実施例２である開閉装置（接地断路器が投入状態、遮断器が遮断状態）の構成を示す。
【図９】実施例２である開閉装置（接地断路器が断路状態、遮断器が遮断状態）の構成を示す。
【図１０】実施例２である開閉装置（接地断路器が接地状態、遮断器が遮断状態）の構成を示す。
【図１１】実施例２である開閉装置（接地断路器が接地状態、遮断器が投入状態）の構成を示す。
【発明を実施するための形態】
【００１２】
以下、本発明の実施例について図面を用いて説明する。なお、各図において、参照番号が同一のものは同一の構成要件あるいは類似の機能を備えた構成要件を示している。
【実施例１】
【００１３】
図１〜３は、本発明の実施例１である接地断路器の構成を示すが、それぞれ、投入状態、断路状態、接地状態を示す。各図とも、左側の図は接地断路器の側面図であり、右側の図は接地断路器の正面図である。接地断路器１００は、三相で構成されるが、シャッター１は三相で一つであるため、シャッター１が設けられる一相分を図示している。なお、右側の図では、正面カバー５に隠れる部分を、適宜、透視して示している。
【００１４】
シャッター１は、正面カバー５に開口する操作ハンドル挿入口７を塞ぐことができるように配置され、接地断路器操作部９への操作者や作業者のアクセスを制限できるように配置される。なお、正面カバー５は、接地断路器１００が収納される図示しない筐体の前面部に取付けられる。シャッター１は、係合ピン４が貫通できるように、シャッター１の開口部からなるピン係合部２を有する。係合ピン４は、主回路可動導体２０が母線側固定導体２１とフィーダ側固定導体２２を電気的に接続する投入状態（図１）、主回路可動導体２０が母線側固定導体２１と接地導体２３の両方から切り離される断路状態（図２）、並びに主回路可動導体２０がフィーダ側固定導体２２と接地導体２３を接続する接地状態（図３）のそれぞれの状態へ移行するのに同期して動作する。
【００１５】
主回路可動導体２０および係合ピン４は絶縁操作軸１１により、垂直縦方向、すなわち絶縁操作軸１１の長手方向に沿って操作される。すなわち主回路可動導体２０および係合ピン４は連動するが、主回路可動導体２０は動作行程が長く、また係合ピン４は主回路可動導体２０よりも短い動作行程で十分であるため、絶縁操作軸１１の機能により動作行程を調整する。本実施例では、絶縁操作軸を送りネジで構成し、主回路可動導体２０側と係合ピン４側でネジピッチを変えることにより動作工程を調整する。本実施例では、主回路可動導体２０側のネジピッチが係合ピン４側のネジピッチよりも大きな値に設定される。絶縁操作軸１１はギヤ１０を介して接地断路器操作部９により回転操作される。
【００１６】
本実施例では手動の操作ハンドル８を接地断路器操作部９に挿入し操作する。なお、接地断路器操作部９は、手動操作に加え、モータなどによる電動機構によって操作されても良い。この場合、外部からの指令信号により、電動機構を制御しても良い。
【００１７】
シャッター１は、シャッター１に取り付けられたシャッター操作ピン３により開閉操作される。シャッター操作ピン３は、正面カバー開口部６を貫通して正面カバー５の外側から操作でき、かつ正面カバー開口部６に沿って二方向、本実施例では水平方向と垂直方向に操作できる。このため、正面カバー開口部６は、略Ｌ字状であり、図１の投入状態におけるシャッター操作ピン３の位置から、水平かつ図中右方向へ延びると共に、垂直かつ下方向へ延びる。
【００１８】
主回路可動導体２０が図１の投入状態にあるとき、シャッター操作ピン３は正面カバー開口部６の角部に位置し、操作ハンドル挿入口７はシャッター１によって閉塞される。このとき、係合ピン４とピン係合部２の上部が垂直方向で干渉するのでシャッター操作ピン３およびシャッター１の垂直かつ下方向の動きが拘束されるとともに、シャッター操作ピン３と正面カバー開口部６の上部が垂直方向で干渉するのでシャッター操作ピン３およびシャッター１の垂直かつ上方向の動きが拘束される。このため、本実施例では、シャッター操作ピン３は、垂直方向および水平方向の内、水平方向のみにおいて操作可能であり、シャッター１は水平方向のみに開閉可能である。
【００１９】
図２に示すように、シャッター操作ピン３を図１の位置から図中水平かつ右方向に移動してシャッター１を水平方向に開放すると、操作ハンドル挿入口７において接地断路器操作部９が露出して操作ハンドル８を挿入可能となる。操作ハンドル８を回転操作して絶縁操作軸１１が回転すると、主回路可動導体２０は、図１に示す投入位置から図２に示す断路位置まで移動する。ここで、断路位置において、主回路可動導体２０は、フィーダ側固定導体２２との電気的接続は維持されているが、母線側固定導体２１および接地導体２３には接触せず電気的に絶縁されている。なお、係合ピン４は、上述したように、シャッター１のピン係合部２の上部によって、投入状態における位置から上方への動きを拘束されているので、操作ハンドル８を誤操作しても、主回路可動導体２０が、上方向すなわち断路状態に移行するのとは反対方向に移動することが防止される。
【００２０】
シャッター１を開放後、操作ハンドル８を回転操作すると係合ピン４は下方向へ移動し、図２の断路状態において、係合ピン４とピン係合部２の左下部が垂直方向で干渉し、係合ピン４の垂直かつ下方向への動きが拘束される。このため、主回路可動導体２０は、投入状態と断路状態の間において移動できるが、後述する接地状態への移動を拘束されている。
【００２１】
主回路可動導体２０を図２の断路状態から図３の接地状態に移行するためには、操作ハンドル８を外してから、まず、シャッター操作ピン３を図２の位置から正面カバー開口部６の角部まで移動し、さらに正面カバー開口部６に沿って垂直下方に移動する。これにより、シャッター１が一旦水平方向に閉じた後、垂直方向に開放する。従って、操作ハンドル挿入口７において接地断路器操作部９が再度露出して操作ハンドル８を挿入可能となる。シャッター１を垂直方向に開放すると、係合ピン４の位置は、相対的に、係合部２の左下部から右上部に移動するため、係合ピン４と係合部２の左下部との干渉が解除される。これにより、操作ハンドル８を回転操作して絶縁操作軸１１が回転すると、係合ピン４を図２の断路状態における位置から、図３の接地状態における位置に向って、さらに下方へ移動することができる。従って、主回路可動導体２０は、図２に示す断路位置から図３に示す接地位置まで移動することができる。
【００２２】
主回路導体２０が図３の接地状態にあるとき、シャッター操作ピン３は、正面カバー開口部６の垂直に伸びる部分の下端に位置するので、シャッター１は、水平方向および垂直方向の内、水平方向の動きが拘束され、垂直方向のみに開閉可能である。このため、操作ハンドル８を誤操作しても、係合ピン４とピン係合部２の上部が垂直方向で干渉する。従って、係合ピン４のさらなる垂直上方への動きが拘束されるので、絶縁操作軸１１の回転が拘束される結果、主回路可動導体２０は、断路状態と接地状態の間において移動できるが、投入状態への移動が防止される。
【００２３】
なお、図３において、係合ピン４が上方に移動して係合部２の上部においてシャッター１に当接した場合、シャッター操作ピン３自体は垂直上方への動きを拘束されてはいない。しかし、シャッター１の自重により、またシャッター１が垂直方向に閉じれば操作ハンドル８に当接してしまうので、主回路可動導体２０を投入状態へ移動するためには、操作ハンドル８を過度にあるいは異常に大きな力で回転しなければならない。従って、操作ハンドル８を誤操作した場合、シャッター１が垂直方向のみに開閉可能でありかつ係合ピン４とピン係合部２の上部が垂直方向で干渉することによって、実質的に、主回路可動導体２０の投入状態への移動が防止される。なお、次に一例を説明するシャッター１の位置保持機構によりシャッター１の動きを拘束すれば、より確実に、主回路可動導体２０の投入状態への移動が防止できる。
【００２４】
図４は、シャッター１の位置保持機構の一例を示す。図４に示すように、正面カバー５に設けられる固定ピン１３と、シャッター１に設けられる固定ピン１４とに、戻しばね１２が接続される。すなわち、シャッター１は、戻しばね１２を介して、固定部すなわち正面カバー５に接続される。
【００２５】
図４中の上図に示すように、投入状態（図１参照）において、シャッター１の位置は、戻しばね１２のばね張力によって、操作ハンドル挿入口７を塞ぐような位置に保持される。これにより、操作ハンドル８の誤挿入を確実に防止することができる。
【００２６】
図４の中央の図が示すようにシャッター１が水平方向に開放される場合（図２参照）、並びに図４の下図が示すようにシャッター１が垂直方向に開放される場合（図３参照）、戻しばね１２は伸長されてシャッター１の位置を図４中の上図に示すような操作ハンドル挿入口７を塞ぐ位置に戻そうとする。これに対し、本実施例では、シャッター操作ピン３に取り付けられたフック１５を、正面カバー５に取り付けられたフック係合部１６と係合させることにより、シャッター１が開いて操作ハンドル挿入口７が開放された状態を保持する。なお、フック係合部１６は、正面カバー５において、正面カバー開口部６の水平方向端部（図中向って右側）および垂直下方端部に隣接する位置に設けられる。これにより、シャッター１の水平および垂直方向に開かれた状態が確実に保持できる。さらに、フック係合部１６は、正面カバー５において、正面カバー開口部６の角部に隣接する位置に設けられる。これにより、シャッター１の閉塞状態が確実に保持できる。
【００２７】
図５は、接地断路器の状態表示機構の一例を示す。図５に示すように、係合ピン４の一部を横方向に伸長し、伸長部の端部に表示器３０が取り付けられる。表示器３０には、接地断路器の三状態、すなわち、投入状態、断路状態および接地状態を示す表示内容、本実施例ではそれぞれ「ｃｌｏｓｅ」、「ｉｓｏｌａｔｅ」および「ｏｐｅｎ」という語句が、縦方向すなわち係合ピン４の移動方向に沿って並べられて記載されている。正面カバー５には、開口部からなる表示部３１が設けられる。投入状態、断路状態および接地状態に応じて係合ピン４が移動すると、接地断路器の状態を示す語句が表示部３１に表示される。なお、表示器３０に記載される表示内容は、図５のような英語の語句に限らず、任意の言語の語句や各種記号でも良い。また、表示部３１は、透明なカバーにより覆われていても良い。
【００２８】
図６は、接地断路器の電気操作ロック機構の一例を示す。ここで、接地断路器が手動操作機構と電動操作機構を併せ持つ場合や、後述するように接地断路器を遮断器と併用する場合は、手動操作時に電動操作が機能しないようにしてから手動操作を行う。このため、本実施例においては、正面カバー５あるいは図示されない他の部材に支持されるマイクロスイッチ３２を設けて、シャッター１が水平方向および垂直方向に開かれた状態でマイクロスイッチ３２により、電動操作機構およびその制御回路が電源回路から切り離され、電動操作がロックされる。シャッター１には押し当てピン３３ａおよび３３ｂが設けられ、シャッター１が水平開放された場合には押し当てピン３３ａがマイクロスイッチ３２を押し込み、シャッター１が垂直に開放された場合には押し当てピン３３ｂがマイクロスイッチ３２を押し込むことにより、電気操作がロックされる。
【００２９】
上述のように、本実施例１によれば、一つの接地断路器操作部９を用いながらも、シャッター１の開閉方向に応じて、断路操作と接地操作を選択的に行うことができる。さらに、主回路可動導体２０の駆動部である絶縁操作軸１１に設けられる接合ピン４とシャッター１の開口部２の係合位置、本実施例では水平方向における位置が、シャッター１の開閉方向に応じて変わり、接合ピン４とシャッター１の係合状態が変わる。この係合状態に応じて、係合４ピンの垂直方向の動きが制限されることにより可動導体の垂直方向の動きが制限されるので、接地断路器１００は断路操作および接地操作における機械的インターロック機能を備える。このように、本実施例１によれば、接地断路器に、比較的簡単な構成で、シャッター付の手動操作機構および機械的インターロック機能を備えることができるので、接地断路器の構成が簡略化できる。これにより、接地断路器のコストが低減できたり、装置サイズを低減できたりする。
【実施例２】
【００３０】
図７〜１１は、本発明の実施例２である開閉装置の構成を示す。
【００３１】
本実施例２の開閉装置は、負荷に流れる電流を遮断する遮断器４０と、遮断器４０と直列に接続される実施例１の接地断路器１００とを備える。遮断器４０は、真空バルブなどからなる遮断部４３を備える。遮断部４３は、リンク４２を介して操作部４１に接続され、操作部４１によって投入状態から遮断状態、遮断状態から投入状態に操作される。
【００３２】
本開閉装置によって負荷電流を遮断する場合、まず遮断器４０を投入状態から遮断状態に移行させ、次に接地断路器１００を投入状態から断路状態に移行させる。このように遮断器４０と接地断路器１００を併用する場合、遮断器と接地断路器の相互でインターロック機能をもたせることにより、動作の安全性を確保する。本実施例２は、リンク４２に固定されるインターロック用駆動体４４を設け、これを遮断器４０の操作に連動させることにより、インターロック機能を備える。
【００３３】
以下、本実施例２の動作について説明する。
【００３４】
図７は、接地断路器１００が投入状態であり、かつ遮断器４０が投入状態、すなわち通電状態である実施例２の開閉装置を示す。この場合、係合ピン４はインターロック用駆動体４４の上方に位置するので、インターロック用駆動体４４はリンク４２と共に回動可能である。従って、遮断器４０は入切可能であり、電流のスイッチングを行うことができる。インターロック用駆動体４４の先端部が係合ピン４の行程内すなわち下方動線上に位置するので、係合ピン４は、インターロック用駆動体４４との干渉によって縦方向下方への動きが拘束される。このため、接地断路器１００は、断路状態および接地状態へ移行することが防止され、投入状態が保持される。すなわち、遮断器４０を投入状態から遮断状態に移行する時、接地断路器１００の投入状態が確保される。
【００３５】
図８は、接地断路器１００が投入状態であり、かつ遮断器４０が遮断状態である実施例２の開閉装置を示す。この場合、インターロック用駆動体４４の先端部は係合ピン４の行程内すなわち下方動線上から離れている。従って、インターロック用駆動体４４は、係合ピン４との干渉が解除される位置まで回動しているので、係合ピン４は縦方向に移動操作可能となる。これにより、遮断器４０が遮断状態に移行した後、接地断路器１００を、図８に示すような投入状態から断路状態へ移行するように操作することができる。
【００３６】
図９は、接地断路器１００が断路状態であり、かつ遮断器４０が遮断状態である実施例２の開閉装置を示す。この場合、係合ピン４が図８に示す位置から下降するので、インターロック用駆動体４４が回動しようとすると、インターロック用駆動体４４と係合ピン４とが干渉する。すなわち、係合ピン４がインターロック用駆動体４４の動きを制限している。このため、遮断器４０は、投入状態に移行することはできず、遮断状態が保持される。すなわち、接地断路器１００が断路状態である時、遮断器４０の遮断状態が保持される。
【００３７】
なお、負荷・母線間を断路状態（図９）から接続状態（図７）に復帰させる場合、まず接地断路器１００を投入状態に移行してから、遮断器４０を投入する。この時、図９に示すように、接地断路器１００が断路状態から投入状態へ移行する間、遮断器４０の投入が阻止される。従って、復電する際の開閉装置の安全な動作が確保できる。
【００３８】
図１０は、接地断路器１００が接地状態であり、かつ遮断器４０が遮断状態である実施例２の開閉装置を示す。この場合、図９においてインターロック用駆動体４４の位置は図８に示す位置が保持されているので、係合ピン４は縦方向に移動操作可能である。このため、接地断路器１００は、図９の断路状態から本図１０の接地状態へ移行することができる。また、係合ピン４が図８に示す位置からさらに下降するので、インターロック用駆動体４４と係合ピン４との干渉が解除され、インターロック用駆動体４４は回動可能となる。これにより、遮断器４０は投入遮断操作が可能になるので、負荷側の接地（図１１参照）および接地開放（図１０参照）を行うことができる。
【００３９】
図１１は、接地断路器１００が接地状態であり、遮断器４０が投入状態である実施例２の開閉装置を示す。本開閉装置は、負荷側接地状態にある。この場合、インターロック用駆動体４４の先端部が係合ピン４の上方動線上に位置しているので、係合ピン４は、図１１に示す位置から上方向の動きが拘束されている。従って、接地断路器１００は、接地状態から断路状態および投入状態へ移行することができない。これにより、遮断器４０を操作して負荷側の接地および接地開放を行う時、接地断路器１００の接地状態を保持できる。
【００４０】
上述のように、開閉装置が実施例１の接地断路器１００を備えることにより、開閉装置の構成が簡略化され、コストを低減することができる。また、接地断路器１００の係合ピンを用いることにより、遮断器と接地断路器相互の機械的インターロック機構の構成を簡略化することができる。これにより、開閉装置の装置サイズやコストを低減することができる。
【００４１】
なお、本発明は前述した実施例に限定されるものではなく、様々な変形例が含まれる。例えば、前述した実施例は本発明を分かりやすく説明するために詳細に説明したものであり、必ずしも説明した全ての構成を備えるものに限定されるものではない。また、各実施例の構成の一部について、他の構成の追加・削除・置き換えをすることが可能である。
【００４２】
例えば、主回路可動導体の駆動部は、送りねじからなる絶縁操作軸を使用するものに限らず、絶縁操作軸がリンク機構を介して操作器によって垂直方向に駆動されるものでも良い。
【符号の説明】
【００４３】
１  シャッター
２  ピン係合部
３  シャッター操作ピン
４  係合ピン
５  正面カバー
６  正面カバー開口部
７  操作ハンドル挿入口
８  操作ハンドル
９  接地断路器操作部
１０  ギヤ
１１  絶縁操作軸
１２  戻しばね
１３  ばね固定ピン
１４  ばね固定ピン
１５  フック
１６  フック係合部
２０  主回路可動導体
２１  母線側固定導体
２２  フィーダ側固定導体
２３  接地導体
３０  表示器
３１  表示部
３２  マイクロスイッチ
３３ａ  押し当てピン
３３ｂ  押し当てピン
４０  遮断器
４１  操作器
４２  リンク
４３  遮断部
４４  インターロック用駆動体
１００  接地断路器
【図１】
2016157592.tif 000003
【図２】
2016157592.tif 000004
【図３】
2016157592.tif 000005
【図４】
2016157592.tif 000006
【図５】
2016157592.tif 000007
【図６】
2016157592.tif 000008
【図７】
2016157592.tif 000009
【図８】
2016157592.tif 000010
【図９】
2016157592.tif 000011
【図１０】
2016157592.tif 000012
【図１１】
2016157592.tif 000013